(57)【要約】【課題】  入室管理により適した形態で、セキュリティレベルの向上を図る。【解決手段】  解錠許可データとして、解錠を許可する個人データと、その個人データに付随する解錠条件データとを設定可能とし、電気錠コントローラのＣＰＵは、入室用カードリーダによって読取られた個人データについて解錠条件コード「２」が設定されている場合（ステップＡ３，「ＮＯ」）、その条件コードで指定される同行者を示すデータがカードリーダによって読取られると（ステップＡ１０，Ａ１１，「ＹＥＳ」）解錠制御を行う（ステップＡ６〜Ａ８）。また、ＣＰＵは、個人データについて解錠条件コード「１」が設定されている場合（ステップＡ３，「ＹＥＳ」）、その条件コードにて指定されている者が入室していることを確認すると（ステップＡ５，「ＹＥＳ」）解錠制御を行う（ステップＡ６〜Ａ８）。【選択図】  図１
2005163406.tif 000002
【特許請求の範囲】
【請求項１】
ＩＣカードに記録されている個人データを読取るカードリーダと、このカードリーダによって読取られたデータと解錠許可データとを照合した結果に基づいて、入室用のドアに配置されている電気錠を解錠させるように制御する解錠制御手段とで構成される入室管理装置において、
前記解錠許可データとして、解錠を許可する個人データと、その個人データに付随する解錠条件データとが設定可能であり、
前記解錠条件データは、特定の同行者を指定するもので、
前記解錠制御手段は、前記カードリーダによって読取られた個人データについて前記解錠条件データが設定されていなければ解錠制御を行い、前記解錠条件データが設定されている場合は、続いて、前記同行者を示すデータが前記カードリーダによって読取られると解錠制御を行うように構成されていることを特徴とする入室管理装置。
【請求項２】
前記解錠条件データは、特定の同行者の権限レベルを指定するデータであることを特徴とする請求項１記載の入室管理装置。
【請求項３】
前記解錠制御手段は、前記カードリーダによって読取られた個人データについて前記解錠条件データが設定されている場合は、前記カードリーダ側において、ＩＣカードのアクセスを促すための報知動作を行わせるように制御することを特徴とする請求項１又は２記載の入室管理装置。
【請求項４】
ＩＣカードに記録されている個人データを読取るカードリーダと、このカードリーダによって読取られたデータと解錠許可データとを照合した結果に基づいて、入室用のドアに配置されている電気錠を解錠させるように制御する解錠制御手段とで構成される入室管理装置において、
現在の入室している者の状態を把握するための入室者把握手段を備え、
前記解錠許可データとして、解錠を許可する個人データと、その個人データに付随する解錠条件データとが設定可能であり、
前記解錠条件データは、特定の入室者を指定するもので、
前記解錠制御手段は、前記カードリーダによって読取られた個人データが前記解錠許可データの個人データに一致すると、その個人データについて前記解錠条件データが設定されていなければ解錠制御を行い、前記解錠条件データが設定されている場合は、当該条件データにて指定されている入室者が入室していることを前記入室者把握手段により確認すると解錠制御を行うように構成されていることを特徴とする入室管理装置。
【請求項５】
前記解錠条件データは、特定の入室者の権限レベルを指定するデータであることを特徴とする請求項４記載の入室管理装置。
【発明の詳細な説明】
【技術分野】
【０００１】
本発明は、ＩＣカードに記録されている個人データと解錠許可データとを照合した結果に基づいて、入室用のドアに配置されている電気錠を解錠させるように制御する入室管理装置に関する。
【背景技術】
【０００２】
ＩＣカードを用いた入室管理装置は、例えば会社の社員が携帯するＩＣカードに社員番号のような個人データ（カード番号）を記憶させておき、その個人データをカードリーダで読み出し、予め保持されている解錠を許可する個人データリスト、所謂ホワイトファイルと照合する。そして、読み出した個人データがホワイトファイル内に存在する場合には、入室用のドアに配置されている電気錠を制御して解錠し、入室を許可するものである。
【０００３】
ところで、上記のような入室管理形態では、正当なＩＣカードを所持してさえいれば入室が可能となるため、セキュリティレベルが十分に高いとは言えなかった。例えば、特許文献１には、金庫に使用される電子符号錠において、２種類の電子符号について例えばＡＮＤ条件で入力があった場合に解錠を許可することで、セキュリティレベルの向上を図る技術が開示されている。
【特許文献１】特開昭５６−１２５５７２号公報
【発明の開示】
【発明が解決しようとする課題】
【０００４】
しかしながら、特許文献１の技術を入室管理装置に適用しようとすると、誰が入室しようとする場合でも、その度毎にもう１つ別の特定のＩＣカードを読み込ませることが必要となってしまう。これでは入室が極めて煩わしくなり、ＩＣカードを用いることによる利便性が実質的に無効化されてしまうことになり、現実的ではない。
本発明は上記事情に鑑みてなされたものであり、その目的は、入室管理により適した形態で、セキュリティレベルの向上を図ることにある。
【課題を解決するための手段】
【０００５】
請求項１記載の入室管理装置によれば、解錠許可データとして、解錠を許可する個人データと、その個人データに付随する解錠条件データとを設定可能とする。そして、解錠制御手段は、カードリーダによって読取られた個人データについて解錠条件データが設定されている場合は、続いて、その条件データで指定される同行者を示すデータがカードリーダによって読取られると解錠制御を行う。
【０００６】
即ち、ＩＣカードを携帯して解錠許可を要求する者の内少なくとも一部については、解錠条件データで指定される同行者と共にでなければ解錠（入室）が許可されない。従って、必ずしも全ての対象者について解錠条件を一律に課さずとも、入室管理上適切と考えられる範囲の者について解錠条件を設定すれば良い。そして、解錠を要求した者の行動については同行者によって監視させることが可能となるから、必要に応じてセキュリティレベルを向上させることができる。
【０００７】
請求項２記載の入室管理装置によれば、解錠条件データを、特定の同行者の権限レベルを指定するデータとする。従って、同行者を個人データで指定せずとも、各個人について設定される権限レベルを指定すれば、当該権限レベルを有している複数の者のうち何れか一人が同行していれば解錠が許可されるため、入室管理が容易となり利便性が向上する。
請求項３記載の入室管理装置によれば、解錠制御手段は、個人データについて解錠条件データが設定されている場合は、カードリーダ側において、ＩＣカードのアクセスを促すための報知動作を行わせる。即ち、同行者が存在することが解錠の条件であれば、その同行者が携帯するＩＣカードのデータ読み取りを促すように報知を行うことで、ユーザは入室に要する手順をスムーズに実行することができる。
【０００８】
請求項４記載の入室管理装置によれば、解錠制御手段は、カードリーダによって読取られた個人データが解錠許可データの個人データに一致すると共に、解錠条件データが設定されている場合は、その条件データにて指定されている者が入室していることを入室者把握手段により確認すると解錠制御を行う。
即ち、ＩＣカードを携帯して解錠許可を要求する者の内少なくとも一部については、解錠条件データで指定される者がその時点で入室していなければ解錠（入室）が許可されない。従って、請求項１と同様に、必ずしも全ての対象者について解錠条件を一律に課さずとも、入室管理上適切と考えられる範囲の者について解錠条件を設定すれば良い。そして、解錠を要求した者の行動については入室者によって監視させることが可能となるから、必要に応じてセキュリティレベルを向上させることができる。
【０００９】
請求項５記載の入室管理装置によれば、解錠条件データは、特定の入室者の権限レベルを指定するデータとするので、請求項２と同様に、入室管理が容易となり利便性が向上する。
【発明を実施するための最良の形態】
【００１０】
以下、本発明の一実施例について図面を参照して説明する。図５は、入室管理システムの全体構成を示すものである。ドア１の内部には電気錠２が配置されており、電気錠２は、アクチュエータを電磁的に駆動することによってドア１の施錠，解錠を行うようになっている。
入室用カードリーダ（入室者把握手段）３は、例えば非接触型のＩＣカード４に記録されている個人データを電波信号を介して読み取り、読取ったデータを電気錠コントローラ（解錠制御手段）５にシリアルインターフェイスを介して送信する。また、入室用カードリーダ３は、その他、ＬＣＤパネル３ａに文字を表示させたり、データの読取り応答としてサウンドを出力したり、ＬＥＤ表示を行う機能を備えている。
【００１１】
電気錠コントローラ５は、マイクロコンピュータなどで構成され、管理装置（データ管理手段）６との間においてもＬＡＮなどを介して通信を行うようになっている。そして、電気錠コントローラ５は、管理装置６より送信されて自身が内部のＲＡＭなどに保持している解錠許可データと、入室用カードリーダ３を介してＩＣカード４より読み出したデータとを照合した結果に基づき、電気錠２を制御するようになっている。また、電気錠２には、ドア１の開閉状態を検知するためのスイッチ（図示せず）が設けられており、その検知信号は電気錠コントローラ５に出力されている。
【００１２】
また、入室用カードリーダ３とは別に、退室用カードリーダ（入室者把握手段）２０が存在する。退室用カードリーダ２０は、入室した室内より退室しようとする者がＩＣカード４のデータを読取らせることで、電気錠コントローラ５に退室を認識させるものである。そして、電気錠コントローラ５は、カードリーダ３，２０より得られるデータに基づいて、現在の入室者の状況を把握することが可能となっている。
【００１３】
図６は、主に電気錠コントローラ５の詳細構成を示す機能ブロック図である。電気錠コントローラ５は、ＣＰＵ７を中心構成されている。そして、ＣＰＵ７が、電気錠２、入室用カードリーダ３、管理装置６、退室用カードリーダ２０との間で夫々通信を行うためのインターフェイス８，９，１０，１１を備えている。また、ＣＰＵ７がデータを書き込んで記憶させるための記憶装置（上述のＲＡＭやＲＯＭなど）１２なども備えている。尚、以下では、ＩＣカード４が入室用カードリーダ３に接近（アクセス）することで両者間の通信が可能となる状態を、両者が接触する場合も含み「タッチ」と称する。
また、以上において、入室用カードリーダ３、電気錠コントローラ５、管理装置６、退室用カードリーダ２０が入室管理装置１３を構成している。
【００１４】
次に、本実施例の作用について図１乃至図４も参照して説明する。図３は、解錠許可データを構成するホワイトファイルの内容を示すものである。ホワイトファイルは、ＩＣカード４の個人データに対応するもので、そのフィールドは、解錠を許可するカード番号、解錠条件コード、本人判定コード（権限レベル）で構成されている。
【００１５】
解錠条件コードは「０，１，２」の３つがあり、「０」は無条件に解錠（条件設定なし）、「１」は本人判定コードが「２」以上の人が入室していることを条件として解錠を許可し、「２」は本人判定コードが「２」以上の人が同行していることを条件として解錠を許可するように設定されている。本人判定コードは「１，２，３」の３つがあり、「１」は社外者、「２」は一般社員、「３」は管理者に設定されている。
【００１６】
図４は、ホワイトファイルの一具体例を示すものであり、コンマ「，」はセパレータとして使用されている。「１２３４５６７」は解錠を許可する個人データ、即ちＩＣカード４のカード番号であり、この個人データについては、解錠条件コード「０」、本人判定コード「３」が設定されている。従って、このカード番号については、解錠が無条件で許可される。
【００１７】
次の個人データ「１２３４５６８」については、解錠条件コード「１」、本人判定コード「２」が設定されている。従って、このカード番号については、本人判定コードが「２」以上の人（この場合、「１２３４５６７」，「１２３４５６９」）が入室していることを条件として解錠が許可される。また、次の個人データ「１２３４５６９」については、解錠条件コード「２」、本人判定コード「２」が設定されている。従って、このカード番号については、本人判定コードが「２」以上の人（即ち、「１２３４５６７」，「１２３４５６８」）が同行していることを条件として解錠が許可される。
【００１８】
図１は、電気錠コントローラ５のＣＰＵ７によって実行される制御内容を示すフローチャートである。このフローチャートは、ユーザがＩＣカード４を入室用カードリーダ３にタッチさせ、両者間の通信シーケンスが開始されたことをＣＰＵ７が認識することで開始される。先ず、ＣＰＵ７は、入室用カードリーダ３が読取ったＩＣカード４の個人データが、ホワイトファイル内に存在するか否か照合を行う（ステップＡ１）。当該個人データがホワイトファイル内に存在しなければ（「ＮＯ」）電気錠２に対して解錠指令を出力せずに処理を終了する。
【００１９】
一方、ステップＡ１において、個人データがホワイトファイル内に存在した場合（「ＹＥＳ」）、ＣＰＵ７は、その個人データについて解錠条件コードが設定されている（「１，２」）か否かを判断する（ステップＡ２）。解錠条件コードが「０」であり、条件設定がなれば（「ＮＯ」）ステップＡ６に移行し、ＣＰＵ７は、電気錠２に対して解錠指令を出力してドア１を解錠させ、一定時間が経過すると（ステップＡ７，「ＹＥＳ」）、施錠処理を行ない（ステップＡ８）処理を終了する。
また、ステップＡ２において、解錠条件コードが「１，２」であり「ＹＥＳ」と判断すると、ＣＰＵ７は、続いて解錠条件コードが「１」か否かを判断する（ステップＡ３）。条件コードが「１」であれば（「ＹＥＳ」）入室者情報を取得し（ステップＡ４）、本人判定コードが「２」以上のものが入室しているか否かを判断する（ステップＡ５）。
【００２０】
ここで、図２を参照する。図２は、ＣＰＵ７が図１に示すフローチャートとは独立のルーチンとして実行するもので、入室者の状態を把握するための処理内容を示すフローチャートである。ＣＰＵ７は、入室用カードリーダ３，退室用カードリーダ２０の何れかにおいてＩＣカード４の「タッチ」が発生したか否かを判断している（ステップＢ１，Ｂ２）。そして、入室用カードリーダ３側で「タッチ」が発生すると（ステップＢ１，「ＹＥＳ」）電気錠２より出力される検知信号を参照してドア１が明けられたことを確認して（ステップＢ３，「ＹＥＳ」）、「タッチ」したＩＣカード４のカード番号等を記憶装置１２の所定領域に書き込んで記憶させると共に、入室者数をカウントするためのカウンタをインクリメントする（ステップＢ４）。
【００２１】
また、退室用カードリーダ２０側で「タッチ」が発生すると（ステップＢ２，「ＹＥＳ」）、ステップＢ３と同様にしてドア１が明けられたことを確認し（ステップＢ５，「ＹＥＳ」）、「タッチ」したＩＣカード４のカード番号等を記憶装置１２の所定領域より削除すると共に、入室者数をカウントするためのカウンタをデクリメントする（ステップＢ５）。従って、ＣＰＵ７は、記憶装置１２の所定領域を参照することで、現在の入室者及びその人数を把握することが可能となっている。
【００２２】
再び、図１を参照する。ＣＰＵ７は、ステップＡ５において、その時点における入室者に本人判定コードが「２」以上の者が存在するか否かを判断し、存在する場合は（「ＹＥＳ」）ステップＡ６に移行して電気錠２を解錠させ、存在しない場合は（「ＮＯ」）そのまま処理を終了する。
一方、ステップＡ３において、解錠条件コードが「２」である場合（「ＮＯ」）、ＣＰＵ７はステップＡ９に移行し、入室用カードリーダ３にカードタッチ要求を報知するように指令を与える。例えば、ＬＣＤパネル３ａにおいて「同行者のＩＣカードをタッチさせて下さい」というようなメッセージを表示させたり、或いはカードリーダ３が音声を出力することで報知させる。
【００２３】
そして、ＣＰＵ７は、その時点から所定時間内（例えば、１０秒程度）にＩＣカード４の「タッチ」が発生するかどうかを判断し（ステップＡ１０）、カードタッチがなければ（「ＮＯ」）処理を終了する。一方、ステップＡ１０においてカードタッチがあれば（「ＹＥＳ」）そのＩＣカード４より読み込んだ個人データに対応する本人判定コードが「２」以上か否かを判断する（ステップＡ１１）。本人判定コードが「２」以上であれば（「ＹＥＳ」）ステップＡ６に移行して解錠を行わせ、本人判定コードが「１」であれば（「ＮＯ」）処理を終了する。
【００２４】
以上のように本実施例によれば、解錠許可データとして、解錠を許可する個人データと、その個人データに付随する解錠条件データとを設定可能とし、電気錠コントローラ５のＣＰＵ７は、入室用カードリーダ３によって読取られた個人データについて解錠条件コード「２」が設定されている場合は、続いて、その条件コードで指定される同行者を示すデータがカードリーダによって読取られると解錠制御を行うようにした。また、ＣＰＵ７は、個人データについて解錠条件コード「１」が設定されている場合は、その条件コードにて指定されている者が入室していることを確認すると解錠制御を行うようにした。
【００２５】
即ち、ＩＣカード４を携帯して解錠許可を要求する者の内少なくとも一部については、解錠条件コードで指定される同行者と共に、若しくは条件コードで指定される入室者が存在しなければ解錠（入室）が許可されない。従って、必ずしも全ての対象者について解錠条件を一律に課さずとも、入室管理上適切と考えられる範囲の者について解錠条件を設定すれば良い。そして、解錠を要求した者の行動については同行者、若しくは入室者によって監視させることが可能となるから、必要に応じてセキュリティレベルを向上させることができる。
【００２６】
そして、解錠条件コードを、特定の同行者の権限レベルを指定する本人判定コードを用いて設定するので、同行者を個人データ毎に指定せずとも、各個人について設定される権限レベルを指定すれば、当該権限レベルを有している複数の者のうち何れか一人が同行又は入室していれば解錠が許可されるため、入室管理が容易となり利便性が向上する。
また、電気錠コントローラ５は、個人データについて解錠条件コード「２」が設定されている場合は、入室用カードリーダ３側において、ＩＣカード４のアクセスを促すための報知動作を行わせるので、ユーザは、入室に要する手順をスムーズに実行することができる。
【００２７】
本発明は上記し且つ図面に記載した実施例にのみ限定されるものではなく、以下のような変形又は拡張が可能である。
ステップＡ９は、必要に応じて実施すれば良い。
解錠条件コード「１」，［２」については、本人判定コードが「３」以上の者の入室，同行を条件としても良い。
【００２８】
また、解錠条件コードについては、「１」，［２」を選択的に設定可能とするものに限らず、何れか一方のみを設定可能とするようにしても良い。
また、解錠条件については本人判定コードを指定するものに限らず、１人以上の個人データを個別に指定しても良い。
ホワイトファイルを電気錠コントローラ５側でのみ管理する形態の場合、管理装置６は削除しても良い。
ＩＣカードは、接触式であっても同様に適用することができる
【図面の簡単な説明】
【００２９】
【図１】本発明の一実施例であり、電気錠コントローラのＣＰＵによって実行される制御内容を示すフローチャート
【図２】ＣＰＵが入室者の状態を把握するための処理内容を示すフローチャート
【図３】解錠許可データを構成するホワイトファイルの内容を示す図
【図４】ホワイトファイルの一具体例を示す図
【図５】入室管理システムの全体構成を示す図
【図６】主に電気錠コントローラの詳細構成を示す機能ブロック図
【符号の説明】
【００３０】
図面中、１はドア、２は電気錠、３は入室用カードリーダ（入室者把握手段）、４はＩＣカード（個人用ＩＣカード）、５は電気錠コントローラ（解錠制御手段）、６は管理装置、７はＣＰＵ、２０は退室用カードリーダ（入室者把握手段）を示す。
【図１】
2005163406.tif 000003
【図２】
2005163406.tif 000004
【図３】
2005163406.tif 000005
【図４】
2005163406.tif 000006
【図５】
2005163406.tif 000007
【図６】
2005163406.tif 000008